(57)【要約】【課題】壁やドア一つ隔てた向こう側の情報送出装置から情報を得て出力するイヤフォンなどではないため、心理的に開けにくいドアを開けて、内部の状況を確認することが必要である。具体的には、ドアを開けずに、店舗が満席であるかどうか、静まりかえっているかどうかなどの店舗内の雰囲気は、分からなかった。【解決手段】一定の範囲内から送信された音情報を近距離無線通信手段により受信する音情報受信部と、音情報を出力する音情報出力部を具備するイヤフォンであり、かかるイヤフォンにより、壁やドア一つ隔てた向こう側の雰囲気が容易に分かる。【選択図】  図２
2004201216.tif 000002
【特許請求の範囲】
【請求項１】
一定の範囲内から送信された音情報を近距離無線通信手段により受信する音情報受信部と、
前記音情報を出力する音情報出力部を具備するイヤフォン。
【請求項２】
一定の範囲内に設置されたカメラが取得した映像情報を、近距離無線通信手段により受信し、出力する情報出力装置。
【請求項３】
一定の範囲内から送信された音情報も近距離無線通信手段により受信し、出力する請求項２記載の情報出力装置。
【請求項４】
位置情報を取得する指示である取得指示を受け付ける指示受付部と、
位置情報を取得する位置情報取得部と、
前記取得指示を受け付けた場合に、前記位置情報を予め決められた装置に送信する位置情報送信部を
具備する情報処理装置。
【請求項５】
位置情報を取得する指示である取得指示および位置情報を送信する指示である送信指示を受け付ける指示受付部と、
位置情報を取得する位置情報取得部と、
前記取得指示を受け付けた場合に、前記位置情報を蓄積する位置情報蓄積部と、前記送信指示により前記位置情報蓄積部が蓄積した位置情報を送信する位置情報送信部
を具備する情報処理装置。
【請求項６】
位置情報を取得する位置情報取得部と、
前記位置情報を予め決められた装置に送信する位置情報送信部をさらに具備する請求項１記載のイヤフォン。
【請求項７】
位置情報を取得する指示である取得指示および位置情報を送信する指示である送信指示を受け付ける指示受付部と、
位置情報を取得する位置情報取得部と、
前記取得指示を受け付けた場合に、前記位置情報を蓄積する位置情報蓄積部と、前記送信指示により前記位置情報蓄積部が蓄積した位置情報を送信する位置情報送信部をさらに具備する請求項１記載のイヤフォン。
【請求項８】
位置情報を取得する指示である取得指示を受け付ける指示受付部と、
位置情報を取得する位置情報取得部と、
前記取得指示を受け付けた場合に、前記位置情報を蓄積する位置情報蓄積部をさらに具備する請求項２記載の情報出力装置。
【請求項９】
位置情報を取得する指示である取得指示および位置情報を送信する指示である送信指示を受け付ける指示受付部と、
位置に関する情報である位置情報を取得する位置情報取得部と、
前記取得指示を受け付けた場合に、前記位置情報を蓄積する位置情報蓄積部と、前記送信指示により前記位置情報を送信する位置情報送信部
をさらに具備する請求項２記載の情報出力装置。
【請求項１０】
一定の範囲内から送信された音情報も近距離無線通信手段により受信し、出力する請求項８または請求項９いずれか記載の情報出力装置。
【請求項１１】
携帯可能な第一情報処理装置と第二情報処理装置を有する情報処理システムであって、
前記第一情報処理装置は、
入力を受け付ける入力受付部と、
第一情報処理装置を識別する情報である第一情報処理装置識別子を格納している第一情報処理装置識別子格納部と、
前記入力受付部が入力を受け付けた場合に、前記第一情報処理装置識別子を有する関心情報を近距離無線通信で送信する送信部と、
前記第二情報処理装置から1以上の情報処理識別子と情報を有する発信情報を受信する情報受信部と、
前記発信情報が有する1以上の情報処理識別子の中に前記第一情報処理装置識別子が存在する場合に、前記発信情報が有する情報を出力する情報出力部を具備し、
前記第二情報処理装置は、
関心情報を受信する関心情報受信部と、
前記関心情報が有する第一情報処理装置識別子を蓄積する第一情報処理装置識別子蓄積部と、
情報を格納している情報格納部と、
前記情報と第一情報処理装置識別子蓄積部が蓄積した1以上の第一情報処理装置識別子を有する発信情報を構成し、送信する発信情報送信部を
具備する情報処理システム。
【請求項１２】
前記第二情報処理装置は、
情報の入力を受け付ける情報入力受付部と、
前記情報を前記情報格納部に蓄積する情報蓄積部をさらに具備する請求項１１記載の情報処理システム。
【請求項１３】
請求項１１または請求項１２いずれか記載の情報処理システムを構成する第一情報処理装置。
【請求項１４】
請求項１１または請求項１２いずれか記載の情報処理システムを構成する第二情報処理装置。
【請求項１５】
コンピュータに、
位置情報を取得する指示である取得指示を受け付ける指示受付ステップと、
位置情報を取得する位置情報取得ステップと、
前記取得指示を受け付けた場合に、前記位置情報を予め決められた装置に送信する位置情報送信ステップを実行させるためのプログラム。
【請求項１６】
コンピュータに、
位置情報を取得する指示である取得指示および位置情報を送信する指示である送信指示を受け付ける指示受付ステップと、
位置情報を取得する位置情報取得ステップと、
前記取得指示を受け付けた場合に、前記位置情報を蓄積する位置情報蓄積ステップと、
前記送信指示により前記位置情報蓄積ステップで蓄積した位置情報を送信する位置情報送信ステップを実行させるためのプログラム。
【請求項１７】
コンピュータに、
入力を受け付ける入力受付ステップと、
前記入力受付ステップで入力を受け付けた場合に、格納している第一情報処理装置識別子を有する関心情報を近距離無線通信で送信する送信ステップと、
第二情報処理装置から1以上の情報処理識別子と情報を有する発信情報を受信する情報受信ステップと、
前記発信情報が有する1以上の情報処理識別子の中に前記第一情報処理装置識別子が存在する場合に、前記発信情報が有する情報を出力する情報出力ステップを実行させるためのプログラム。
【発明の詳細な説明】
【０００１】
【発明の属する技術分野】
本発明は、ドアを隔てたむこう側の様子等を何となく取得できるイヤフォンや情報処理装置等に関する。
【０００２】
【従来の技術】
従来、ブルートゥース（ブルートゥースは「テレフオンアクチーボラゲット  エル  エム  エリクソン」社の登録商標。）などの近距離無線通信手段がある。ブルートゥースは、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことができる。
【０００３】
また、音楽情報をダウンロードできる通信機能を有するスピーカー付きのオーディオ装置や、通信機能付きのイヤフォン（特許文献１参照）が存在する。特許文献１において、他端末と通信を行なうパーソナル通信端末と、ヘッドフォンユニットとからなるパーソナル通信装置が開示されている。
【０００４】
【特許文献１】
特開平１０−２０９９０９号公報（第１頁、第１図等）
【０００５】
【発明が解決しようとする課題】
しかし、上記従来技術によれば、例えば、壁やドア一つ隔てた向こう側の情報送出装置から情報を得て出力するイヤフォンなどではないため、心理的に開けにくいドアを開けて、内部の状況を確認することが必要である。具体的には、ドアを開けずに、店舗が満席であるかどうか、静まりかえっているかどうかなどの店舗内の雰囲気は、分からなかった。
【０００６】
さらに、従来の技術によれば、気に入った場所をマークし、登録するような技術はなかった。したがって、登録した場所に再度、現れた場合でも、特に、当該場所や店舗に関する情報を得ることができなかった。
【０００７】
【課題を解決するための手段】
そこで、第一の発明は、一定の範囲内から送信された音情報を近距離無線通信手段により受信する音情報受信部と、音情報を出力する音情報出力部を具備するイヤフォンであり、かかるイヤフォンにより、壁やドア一つ隔てた向こう側の雰囲気が容易に分かる。
【０００８】
また、第二の発明は、一定の範囲内に設置されたカメラが取得した映像情報、または／および音情報を、近距離無線通信手段により受信し、出力する情報出力装置であり、かかる情報出力装置により、壁やドア一つ隔てた向こう側の雰囲気が容易に分かる。
【０００９】
また、第三の発明は、位置情報を取得する指示である取得指示を受け付ける指示受付部と、位置情報を取得する位置情報取得部と、取得指示を受け付けた場合に、位置情報を予め決められた装置に送信する位置情報送信部を具備する情報処理装置により、気に入った場所等を登録でき、後に気に入った場所等に関する情報を取得できる。
【００１０】
また、第四の発明は、一定の範囲内から送信された音情報を近距離無線通信手段により受信する音情報受信部と、音情報を出力する音情報出力部と、位置情報を取得する位置情報取得部と、位置情報を予め決められた装置に送信する位置情報送信部を具備するイヤフォンであり、かかるイヤフォンにより、壁やドア一つ隔てた向こう側の雰囲気が容易に分かり、当該雰囲気を確認した後に、その位置を登録できる。
【００１１】
また、第五の発明は、携帯可能な第一情報処理装置と第二情報処理装置を有する情報処理システムであって、第一情報処理装置は、入力を受け付ける入力受付部と、第一情報処理装置を識別する情報である第一情報処理装置識別子を格納している第一情報処理装置識別子格納部と、入力受付部が入力を受け付けた場合に、第一情報処理装置識別子を有する関心情報を近距離無線通信で送信する送信部と、第二情報処理装置から1以上の情報処理識別子と情報を有する発信情報を受信する情報受信部と、発信情報が有する1以上の情報処理識別子の中に第一情報処理装置識別子が存在する場合に、発信情報が有する情報を出力する情報出力部を具備し、第二情報処理装置は、関心情報を受信する関心情報受信部と、関心情報が有する第一情報処理装置識別子を蓄積する第一情報処理装置識別子蓄積部と、情報を格納している情報格納部と、情報と第一情報処理装置識別子蓄積部が蓄積した1以上の第一情報処理装置識別子を有する発信情報を構成し、送信する発信情報送信部を具備する情報処理システムであり、かかる情報処理システムにより、例えば、ユーザが関心を持った店舗等の状況や、店舗等に関する情報を、再度、店舗の前に来たときに、得ることができる。実際に、現場に足を運んだときの印象により、第一情報処理装置識別子を含む関心情報を送信して、登録しておくので、有効である。つまり、ユーザにとって、関心のない店舗等からの情報を受信するわずらわしさがなく、好都合である。
【００１２】
【発明の実施の形態】
以下、情報処理システムや情報処理装置等の実施形態について図面を参照して説明する。なお、実施の形態において同じ符号を付した構成要素は同様の動作を行うので、再度の説明を省略する場合がある。
【００１３】
（実施の形態１）
図１は、本実施の形態における情報処理システムの概念図である。情報処理システムは、情報送出装置１１、イヤフォン１２を有する。情報送出装置１１は、通常、飲食店などの店舗に置かれており、内部の様子（音）を音情報にして近距離無線通信手段で外部に送出する。イヤフォン１２は、近距離無線通信手段で送信された音情報を受信して、出力する。このイヤフォン１２により、ユーザは、ドアを開けて店舗の中に入らずに、店舗の中がお客さんで一杯かどうか、店舗の賑わいなどを知ることができる。なお、イヤフォン１２の形状は問わないが、ユーザの耳にひっかける構造であることが好ましい。
【００１４】
図２は、本実施の形態における情報処理システムのブロック図である。情報送出装置１１は、マイク１１０１、音情報変換部１１０２、音情報送信部１１０３を具備する。イヤフォン１２は、音情報受信部１２０１、音情報出力部１２０２を具備する。
【００１５】
マイク１１０１は、周囲の音を集音する。
【００１６】
音情報変換部１１０２は、マイク１１０１が集音した音を送信可能な構造に変換する。例えば、音情報変換部１１０２は、マイク１１０１が集音した音をＭＰ３のデータ構造に変換する。
【００１７】
音情報送信部１１０３は、音情報変換部１１０２が変換した音情報を外部に送信する。音情報送信部１１０３は、近距離無線通信手段で実現される。音情報送信部１１０３は、例えば、ブルートゥースの通信規約による通信手段で実現され得る。
【００１８】
音情報受信部１２０１は、情報送出装置１１が送信した音情報を受信する。音情報受信部１２０１は、近距離無線通信手段で実現される。音情報受信部１２０１は、例えば、ブルートゥースの通信規約による通信手段で実現され得る。
【００１９】
音情報出力部１２０２は、音情報受信部１２０１が受信した音情報を出力する。音情報出力部１２０２は、スピーカーを有する。
【００２０】
なお、情報送出装置１１は、常時、音情報を出力し続ける。また、イヤフォン１２は、電源がＯＮである場合には、情報送出装置１１からの音情報を受信できるほど情報送出装置１１に近づいた場合には、音情報を受信し、出力する。
【００２１】
以上、本実施の形態によれば、ドアを開けて店舗の中に入らずに、店舗等の中が満席かどうか、店舗の賑わいなどの店舗等の様子を何となく知ることができる。
【００２２】
なお、本実施の形態によれば、イヤフォンは、店舗などの情報送出装置から音情報のみを受信したが、映像情報のみ、または映像情報と音情報を受信する情報出力装置によっても、ユーザが店舗の様子を何となく知る仕組みを構成しても良い。かかる場合、情報送出装置は、カメラ、映像情報変換部、および映像情報送信部を具備する。また、イヤフォンに変わって、一定の範囲内から送信された映像情報を受信し出力する情報出力装置をユーザが保持して歩くこととなる。なお、映像情報送信部は近距離無線通信手段で実現される。また、情報出力装置も近距離無線通信手段を具備し、近距離無線通信手段により映像情報を受信し、ディスプレイ等に映像情報を出力する。情報出力装置は、例えば、携帯電話であり、また、例えば、携帯型のＰＤＡなどである。このような構成により、店舗の中に入らなくても、ユーザが店舗の様子を何となく知ることができる。
【００２３】
また、本実施の形態において、情報送出装置は、マイク、音情報変換部、音情報送信部、カメラ、映像情報変換部、および映像情報送信部を具備しても良い。かかる場合、イヤフォンに変わって、一定の範囲内から送信された音情報と映像情報を受信し出力する情報出力装置をユーザが保持することとなる。なお、映像情報送信部および音情報送信部は近距離無線通信手段で実現される。また、情報出力装置も近距離無線通信手段を具備し、近距離無線通信手段により映像情報と音情報を受信し、ディスプレイ等に映像情報を出力する。かかる情報送出装置と情報出力装置により、店舗の中に入らなくても、ユーザが店舗の様子を音と映像で何となく知ることができる。
【００２４】
また、本実施の形態において、店舗の様子をイヤフォンが受信したが、例えば、ピアノの発表会を行っている劇場の内部の様子を外部から取得できても良い。つまり、情報送出装置が劇場の内部に存在する。かかる場合、イヤフォンを保持しているユーザは、ドアを開けずにピアノの演奏中であるか否かを判断でき、タイミング良く（ピアノの非演奏中に）、劇場の中に入ることができる。したがって、ピアノの演奏の邪魔にならない。
【００２５】
さらに、本実施の形態における情報送出装置や情報出力装置やイヤフォンの処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【００２６】
（実施の形態２）
【００２７】
図３は、本実施の形態における情報処理システムのブロック図である。本情報処理システムは、情報処理装置３１、サーバ装置３２を具備する。情報処理装置３１は、指示受付部３１０１、位置情報取得部３１０２、位置情報送信部３１０３を具備する。情報処理装置３１は、携帯電話やＰＤＡなどの携帯端末である。サーバ装置３２は、サーバ側位置情報受信部３２０１、サーバ側位置情報蓄積部３２０２、アクセス要求受信部３２０３、位置情報送出部３２０４を具備する。
【００２８】
指示受付部３１０１は、ユーザから位置情報を取得する指示である取得指示を受け付ける。この指示は、例えば、予め決められたボタンの押下である。また、この指示は、例えば、メニュー項目の選択である。指示受付部３１０１は、入力手段のドライバーソフトや、メニュー画面の制御ソフトウェア等により実現され得る。
【００２９】
位置情報取得部３１０２は、位置に関する情報である位置情報を取得する。この位置は、情報処理装置３１が存在する位置、または、その近隣の位置である。位置情報は、ＧＰＳ座標値や場所と特定する情報などであるが、そのデータ構造等は問わない。位置情報取得部３１０２は、ＧＰＳ受信機や、無線通信手段で実現され得る。位置情報取得部３１０２が無線通信手段で実現される場合、位置情報は、例えば、近くに設置されている通信装置から送信される情報であり、かつ情報処理装置３１が存在する場所を特定する情報である。
【００３０】
位置情報送信部３１０３は、指示受付部３１０１が取得指示を受け付けた場合に、位置情報取得部３１０２が取得した位置情報を予め決められた装置に送信する。なお、予め決められた装置に通信するための、当該装置のＩＰアドレスや電話番号などは、予め位置情報送信部３１０３が保持している。また、位置情報送信部３１０３は、位置情報だけでなく、情報処理装置３１を識別する情報である情報処理装置識別子も送信することが望ましい。誰が送信した位置情報であるか否かを判断できるほうが、当該位置情報の利用価値が高いからである。位置情報の利用については、後述する。位置情報送信部３１０３は、無線の通信手段が好適であるが、放送手段でも実現可能である。
【００３１】
サーバ側位置情報受信部３２０１は、位置情報を受信する。サーバ側位置情報受信部３２０１は、無線の通信手段や放送を受信する手段で実現され得る。
【００３２】
サーバ側位置情報蓄積部３２０２は、サーバ側位置情報受信部３２０１が受信した位置情報を蓄積する。サーバ側位置情報蓄積部３２０２が情報を蓄積する記録媒体は、サーバ側位置情報蓄積部３２０２が有しても良いし、外付けの記録媒体でも良い。なお、サーバ側位置情報蓄積部３２０２は、位置情報と情報処理装置識別子を対で蓄積する場合もある。サーバ側位置情報蓄積部３２０２は、通常、ＭＰＵやメモリ等から実現され得る。サーバ側位置情報蓄積部３２０２が情報を蓄積するための処理手順は、通常、ソフトウェアで実現され、当該ソフトウェアはＲＯＭ等の記録媒体に記録されている。但し、ハードウェア（専用回路）で実現しても良い。
【００３３】
アクセス要求受信部３２０３は、位置情報のアクセス要求を受け付ける。アクセス要求受信部３２０３は、通常、無線または有線の通信手段で実現されるが、放送を受信する手段で実現されても良い。
【００３４】
位置情報送出部３２０４は、アクセス要求受信部３２０３が位置情報のアクセス要求を受け付けた場合に、サーバ側位置情報蓄積部３２０２が蓄積した位置情報をアクセス先に送信する。なお、アクセス要求が情報処理装置識別子を有する場合は、位置情報送出部３２０４は、当該情報処理装置識別子に対応する位置情報を送信する。また、位置情報送出部３２０４は、位置情報の変わりに、位置情報が示す地図情報（位置情報を明示する地図情報でも良い）や、位置情報に対応する場所の名称などを送信しても良い。かかる場合、位置情報送出部３２０４は、位置情報と地図情報を対応付けて管理している。または、位置情報送出部３２０４は、位置情報と場所の名称を対応付けて管理している。
【００３５】
以下、本情報処理システムの動作について説明する。まず、情報処理装置３１の動作について図４のフローチャートを用いて説明する。
【００３６】
（ステップＳ４０１）位置情報取得部３１０２は、位置に関する情報である位置情報を取得する。
【００３７】
（ステップＳ４０２）指示受付部３１０１は、位置情報を取得する指示である取得指示を受け付けたか否かを判断する。取得指示を受け付ければステップＳ４０３に行き、取得指示を受け付けなければステップＳ４０１に戻る。
【００３８】
（ステップＳ４０３）位置情報送信部３１０３は、ステップＳ４０１で取得した最新の位置情報を予め決められた装置に送信する。
【００３９】
なお、図４のフローチャートにおいて位置情報取得部３１０２は、常時、位置情報を取得する構成であったが、指示受付部３１０１が取得指示を受け付けた場合に、位置情報取得部３１０２は位置情報を取得しても良い。
【００４０】
次に、サーバ装置３２の動作について説明する。サーバ装置３２は、位置情報を受信し、蓄積する。また、サーバ装置３２は、アクセス要求に応じて位置情報を送信する。
【００４１】
以下、本実施の形態における情報処理システムの具体的な動作について説明する。情報処理システムの概念図は図５である。本情報処理システムは、情報処理装置３１、サーバ装置３２、第二情報処理装置３３を有する。情報処理装置３１は、ＧＰＳ受信機付きの携帯電話であり、ユーザＡの所有の情報処理装置である。サーバ装置３２は、例えば、アプリケーションサービスプロバイダーが所有するサーバ装置である。第二情報処理装置３３は、ユーザＡの自宅に設置されている情報処理装置である。
【００４２】
今、ユーザＡは、情報処理装置３１を保持して街に出かける、とする。そして、気に入った場所で、情報処理装置３１が有するメニュー画面の項目「お気に入り場所」を選択し、「決定」ボタンを押下する（図６参照）。
【００４３】
次に、情報処理装置３１は、「決定」ボタンが押下された場所の位置情報（ｘ，ｙ，ｈ）を取得する。今、情報処理装置３１は、位置情報（２２５，１３６，１２）を取得した、とする。そして、情報処理装置３１は、位置情報（２２５，１３６，１２）をサーバ装置３２に送信する。その際、情報処理装置３１は、自身の電話番号「０５０−２２２２−３３３３」も一緒に送信する。
【００４４】
次に、サーバ装置３２は、位置情報（２２５，１３６，１２）と電話番号「０５０−２２２２−３３３３」を受信し、蓄積する。サーバ装置３２が、１以上の位置情報と電話番号を蓄積して、管理している位置情報管理表の例を図７に示す。位置情報管理表は、「ＩＤ」「電話番号」「位置情報」を有するレコードを１以上格納している。「ＩＤ」は、レコードを識別する情報であり、表管理上必要な情報である。今、サーバ装置３２は、「ＩＤ」＝「４」のレコードを追加したこととなる。以上の処理により、ユーザＡがお気に入りの場所（位置）をサーバ装置に登録できた。
【００４５】
次に、ユーザＡは、自宅に帰ってから、第二情報処理装置３３を用いてお気に入りの場所に関する情報を取得しようとする。つまり、ユーザＡは、図８に示すような、第二情報処理装置３３の画面から電話番号「０５０−２２２２−３３３３」を入力し、「検索」ボタンを押下する。すると、第二情報処理装置３３は、電話番号「０５０−２２２２−３３３３」を有するアクセス要求をサーバ装置３２に送信する。
【００４６】
次に、サーバ装置３２は、電話番号「０５０−２２２２−３３３３」を有するアクセス要求を受信し、電話番号「０５０−２２２２−３３３３」をキーとして、図７の位置情報管理表を検索する。そして、サーバ装置３２は、位置情報（２２５，１３５，１０）、（２２５，１３６，１２）を取得する。そして、サーバ装置３２は、位置情報（２２５，１３５，１０）、（２２５，１３６，１２）に対応する地図情報を図示しない地図データベースから取得し、当該地図情報と位置情報（２２５，１３５，１０）、（２２５，１３６，１２）の対応を明示する情報を構成する。この情報の例を図９に示す。次に、サーバ装置３２は、図９の地図情報を第二情報処理装置３３に送信する。
【００４７】
次に、第二情報処理装置３３は、図９の情報を受信し、出力する。この出力は、通常は、ディスプレイへの出力であるが、プリンタへの印字、他の装置への送信などであっても良い。また、第二情報処理装置３３において、ユーザＡは、図９の地図情報の表示の状態から、地図に表示されている店舗のホームページにジャンプしたり、地図に表示されている建物に関連する情報を外部の装置から取得したりできるのが好ましい。かかる技術は、Ｗｅｂブラウザ、ＷＷＷ（ワールド・ワイド・ウェブ）等の既存技術により可能であるので、詳細な説明は省略する。
【００４８】
なお、上記の具体例において、位置情報から、当該位置情報に対応する地図情報を取得する処理は、サーバ装置３２が行ったが、サーバ装置３２は位置情報を第二情報処理装置３３に送信するだけでも良い。かかる場合、第二情報処理装置３３が、受信した位置情報に対応する地図情報を取得でき、出力することが好適である。
【００４９】
以上、本実施の形態によれば、ユーザが気に入った等の位置情報を簡単に登録でき、当該位置情報を後で簡単に利用できる。
【００５０】
なお、本実施の形態において、情報処理装置は以下の構成でも良い。つまり、情報処理装置は、位置情報を取得する指示である取得指示および位置情報を送信する指示である送信指示を受け付ける指示受付部と、位置に関する情報である位置情報を取得する位置情報取得部と、取得指示を受け付けた場合に、位置情報を蓄積する位置情報蓄積部と、送信指示により位置情報蓄積部が蓄積した位置情報を送信する位置情報送信部を具備する情報処理装置である。かかる情報処理装置は、とりあえず、情報処理装置に位置情報を蓄積でき、必要に応じて位置情報をサーバ装置等に送信できる。また、情報処理装置に蓄積した位置情報を後に、利用できることは言うまでもない。例えば、情報処理装置と第二情報処理装置が通信により、位置情報を送受信でき、第二情報処理装置が当該位置情報から地図情報を表示して、上述したような位置情報の利用を図ることができる。
【００５１】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、位置情報を取得する指示である取得指示を受け付ける指示受付ステップと、位置情報を取得する位置情報取得ステップと、取得指示を受け付けた場合に、位置情報を予め決められた装置に送信する位置情報送信ステップを実行させるためのプログラムである。また、コンピュータに、位置情報を取得する指示である取得指示および位置情報を送信する指示である送信指示を受け付ける指示受付ステップと、位置情報を取得する位置情報取得ステップと、取得指示を受け付けた場合に、位置情報を蓄積する位置情報蓄積ステップと、送信指示により位置情報蓄積部が蓄積した位置情報を送信する位置情報送信ステップを実行させるためのプログラムである。
【００５２】
（実施の形態３）
図１０は、本実施の形態における情報処理システムの概念図である。情報処理システムは、情報送出装置１１、イヤフォン１０２、サーバ装置３２、第二情報処理装置３３を有する。
【００５３】
図１１は、本実施の形態における情報処理システムのブロック図である。情報送出装置１１は、マイク１１０１、音情報変換部１１０２、音情報送信部１１０３を具備する。イヤフォン１０２は、音情報受信部１２０１、音情報出力部１２０２、指示受付部１０２０１、位置情報取得部１０２０２、位置情報蓄積部１０２０３、位置情報送信部１０２０４を具備する。サーバ装置３２は、サーバ側位置情報受信部３２０１、サーバ側位置情報蓄積部３２０２、アクセス要求受信部３２０３、位置情報送出部３２０４を具備する。第二情報処理装置３３は、アクセス要求入力受付部３３０１、アクセス要求送信部３３０２、位置情報受信部３３０３、位置情報出力部３３０４を具備する。
【００５４】
指示受付部１０２０１は、位置情報を取得する指示である取得指示および位置情報を送信する指示である送信指示を受け付ける。この指示は、例えば、予め決められたボタンの押下である。また、この指示は、例えば、メニュー項目の選択である。指示受付部１０２０１は、入力手段のドライバーソフトや、メニュー画面の制御ソフトウェア等により実現され得る。
【００５５】
位置情報取得部１０２０２は、位置に関する情報である位置情報を取得する。位置とは、イヤフォン１０２が存在する位置、または、その近隣の位置である。位置情報は、ＧＰＳ座標値や場所と特定する情報などであるが、そのデータ構造等は問わない。位置情報取得部１０２０２は、ＧＰＳ受信機や、無線通信手段で実現され得る。位置情報取得部１０２０２が無線通信手段で実現される場合、位置情報は、例えば、近くに設置されている通信装置から送信される情報であり、かつイヤフォン１０２が存在する位置やその近隣の位置を特定する情報である。
【００５６】
位置情報蓄積部１０２０３は、指示受付部１０２０１が取得指示を受け付けた場合に、位置情報取得部１０２０２が取得した位置情報を蓄積する。位置情報蓄積部１０２０３が情報を蓄積する記録媒体は、位置情報蓄積部１０２０３が有している（イヤフォン１０２内部に存在する）。位置情報蓄積部１０２０３は、通常、ＭＰＵやメモリ等から実現され得る。位置情報蓄積部１０２０３が情報を蓄積するための処理手順は、通常、ソフトウェアで実現され、当該ソフトウェアはＲＯＭ等の記録媒体に記録されている。但し、ハードウェア（専用回路）で実現しても良い。
【００５７】
位置情報送信部１０２０４は、指示受付部１０２０１が送信指示を受け付けた場合に、位置情報蓄積部１０２０３が蓄積した位置情報、または位置情報取得部１０２０２が取得した位置情報を送信する。位置情報送信部１０２０４は、無線の通信手段が好適であるが、放送手段等でも実現可能である。なお、位置情報送信部１０２０４は、通常、イヤフォン１０２またはイヤフォン１０２のユーザを識別する情報であるイヤフォン識別子と位置情報を対に送信する。
【００５８】
アクセス要求入力受付部３３０１は、サーバ装置３２から位置情報を取得する要求であるアクセス要求の入力を受け付ける。アクセス要求のデータ構造は問わない。アクセス要求入力受付部３３０１は、入力手段のドライバーソフトや、メニュー画面の制御ソフトウェア等により実現され得る。
【００５９】
アクセス要求送信部３３０２は、アクセス要求入力受付部３３０１で受け付けたアクセス要求をサーバ装置３２に送信する。アクセス要求入力受付部３３０１が受け付けたアクセス要求と、アクセス要求送信部３３０２が受け付けたアクセス要求は、そのデータ構造等が異なる場合もあり得る。
【００６０】
位置情報受信部３３０３は、アクセス要求送信部３３０２のアクセス要求の送信に対して、位置情報を受信する。位置情報受信部３３０３は、通常、無線または有線の通信手段で実現されるが、放送を受信する手段で実現されても良い。ここでの位置情報は、地図情報や地名などを示す情報等を含む場合もあり得る。
【００６１】
位置情報出力部３３０４は、位置情報受信部３３０３が受信した位置情報を出力する。出力とは、ディスプレイの表示、プリンタへの印字、音出力、外部の装置への送信等を含む概念である。位置情報出力部３３０４は、例えば、ディスプレイとそのドライバーソフトで実現され得る。ただし、位置情報出力部３３０４は、ディスプレイなどの出力デバイスを含まなくても良い。かかる場合、位置情報出力部３３０４は、ディスプレイなどの出力デバイスに出力指示をする。
【００６２】
以下、本情報処理システムの動作について説明する。まず、イヤフォン１０２の動作について図１２のフローチャートを用いて説明する。
【００６３】
（ステップＳ１２０１）音情報受信部１２０１は、情報送出装置１１から音情報を受信したか否かを判断する。音情報を受信すればステップＳ１２０２に行き、音情報を受信しなければステップＳ１２０１に戻る。
【００６４】
（ステップＳ１２０２）音情報出力部１２０２は、ステップＳ１２０１で受信した音情報を出力する。
【００６５】
（ステップＳ１２０３）指示受付部１０２０１は、指示を受け付けたか否かを判断する。指示を受け付ければステップＳ１２０４に行き、指示を受け付けなければステップＳ１２０７に飛ぶ。
【００６６】
（ステップＳ１２０４）位置情報取得部１０２０２は、位置情報を取得する。なお、位置情報取得部１０２０２は、常時、位置情報を取得する構成でも良い。
【００６７】
（ステップＳ１２０５）位置情報蓄積部１０２０３は、ステップＳ１２０３で受け付けた指示が取得指示であるか否かを判断する。取得指示であればステップＳ１２０６に行き、取得指示でなければステップＳ１２０８に飛ぶ。
【００６８】
（ステップＳ１２０６）位置情報蓄積部１０２０３は、ステップＳ１２０４で取得した位置情報を蓄積する。なお、位置情報蓄積部１０２０３は、位置情報とともに、時刻などの情報も蓄積しても良い。
【００６９】
（ステップＳ１２０７）タイムアウト（音情報出力から一定以上の時間が経過した）か否かを判断する。タイムアウトであればステップＳ１２０１に戻り、タイムアウトでなければステップＳ１２０３に戻る。
【００７０】
（ステップＳ１２０８）位置情報送信部１０２０４は、ステップＳ１２０３で受け付けた指示が送信指示であるか否かを判断する。送信指示であればステップＳ１２０９に行き、送信指示でなければステップＳ１２０１に戻る。なお、位置情報を送信した場合に、位置情報蓄積部１０２０３は、当該位置情報を蓄積しても良い。
【００７１】
（ステップＳ１２０９）サーバ装置３２と通信するためのサーバ装置識別子（サーバ装置３２のＩＰアドレスや電話番号など）を取得する。なお、サーバ装置識別子は、予めイヤフォン１０２に格納されている。
【００７２】
（ステップＳ１２１０）位置情報送信部１０２０４は、ステップＳ１２０４で取得した位置情報を、ステップＳ１２０９で取得したサーバ装置識別子で識別されるサーバ装置３２に送信する。ステップＳ１２０１に戻る。
【００７３】
なお、図１２のフローチャートにおいて、電源オフや処理終了の割り込みにより終了する。
【００７４】
次に、第二情報処理装置３３の動作について説明する。第二情報処理装置３３のアクセス要求入力受付部３３０１がアクセス要求を受け付ければ、アクセス要求送信部３３０２は当該アクセス要求を送信する。通常、アクセス要求は、イヤフォン識別子を有する。また、第二情報処理装置３３の位置情報受信部３３０３は、アクセス要求に対応して、サーバ装置３２から位置情報を受信する。そして、位置情報出力部３３０４は、当該位置情報を出力する。なお、情報送出装置１１、サーバ装置３２の動作については既に説明した。
【００７５】
以下、本実施の形態における情報処理システムの具体的な動作について説明する。情報処理システムの概念図は図１０である。また、イヤフォン１０２は、図１３に示すような外観を有する。イヤフォン１０２は、位置情報の取得指示を受け付ける「蓄積」ボタン、位置情報の送信指示を受け付ける「送信」ボタンを具備する。また、イヤフォン１０２は、ＧＰＳ受信機と、ブルートゥースの規約により情報を受信できる通信手段を具備する。イヤフォン１０２は、かかる通信手段により、例えば、店舗や劇場の内部の様子を音声で受信できる。
【００７６】
イヤフォン１０２を身に付けているユーザは、ビルの前まで来て１階の店舗に入ろうか否かを考えている。そして、イヤフォン１０２は、ドアの向こうの情報送出装置から送信される音情報を受信して出力する。ユーザは、かかる音情報を聞いて、やはり店舗に入ろうか否かを悩んでいる。ユーザは、もう少し後で、または後日、この店舗に入ろうと思い、イヤフォン１０２の「蓄積」ボタン、または「送信」ボタンを押下する。
【００７７】
ユーザが、イヤフォン１０２の「蓄積」ボタンを押下した場合には、このビルの位置情報がイヤフォン１０２に蓄積される。また、ユーザが、イヤフォン１０２の「送信」ボタンを押下した場合には、このビルの位置情報がサーバ装置３２に送信され、サーバ装置３２に蓄積される。かかる場合、サーバ装置３２には、位置情報とイヤフォン識別子が送信され、蓄積される。
【００７８】
次に、ユーザが、後で、イヤフォン１０２に蓄積されている位置情報に基づいて、ビル１階の店舗の情報（ホームページ）をＷｅｂから検索する。なお、位置情報に基づいて店舗のホームページを検索する技術は既存技術であるので詳細な説明は省略する。
【００７９】
また、ユーザが、後日、家に帰って、第二情報処理装置３３から、マークした位置情報をサーバ装置３２に問い合わせる。そして、サーバ装置３２から位置情報を受信し、位置情報（地図情報などを含んでも良い）を出力する。かかる処理については、実施の形態２で説明済みである。
【００８０】
以上、本実施の形態によれば、ドアを開けて店舗の中に入らずに、店舗や劇場等の中の様子を何となく知ることができ、かつ、知った情報により、気になる位置情報をイヤフォンやサーバ装置に蓄積できる。また、蓄積した位置情報を有効に利用できる。
【００８１】
なお、本実施の形態によれば、イヤフォンは、店舗などの情報送出装置から音情報のみを受信したが、映像情報のみ、または映像情報と音情報を受信する情報出力装置によっても、ユーザが店舗の様子を何となく知る仕組みを構成しても良い。かかる場合の情報出力装置は、一定の範囲内から送信された映像情報を受信し出力する情報出力装置であって、当該情報出力装置は、位置情報を取得する指示である取得指示および位置情報を送信する指示である送信指示を受け付ける指示受付部と、位置に関する情報である位置情報を取得する位置情報取得部と、取得指示を受け付けた場合に、位置情報を蓄積する位置情報蓄積部と、送信指示により位置情報を送信する位置情報送信部を具備する情報出力装置である。また、一定の範囲内から送信された音情報も受信し出力する上記の情報出力装置である。
【００８２】
また、本実施の形態によれば、イヤフォンは、位置情報を蓄積する機能を持たずに、常にサーバ装置に送信しても良い。かかるイヤフォンは、一定の範囲内から送信された音情報を受信する音情報受信部と、音情報を出力する音情報出力部と、位置に関する情報である位置情報を取得する位置情報取得部と、位置情報を送信する指示である送信指示を受け付ける指示受付部と、送信指示を受け付けた場合に、位置情報を予め決められた装置に送信する位置情報送信部を具備するイヤフォンである。
【００８３】
また、本実施の形態によれば、イヤフォンは、位置情報を送信する機能を持たずに、常にイヤフォンに蓄積しても良い。かかるイヤフォンは、一定の範囲内から送信された音情報を受信する音情報受信部と、音情報を出力する音情報出力部と、位置に関する情報である位置情報を取得する位置情報取得部と、位置情報を取得する指示である取得指示を受け付ける指示受付部と、取得指示を受け付けた場合に、位置情報を蓄積する位置情報蓄積部を具備するイヤフォンである。
【００８４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、本実施の形態におけるイヤフォンや情報処理装置を実現するソフトウェアは、以下のようなプログラムである。つまり、このプログラムは、コンピュータに、一定の範囲内から送信された映像情報または／および音情報を受信し出力するステップと、位置情報を取得する指示である取得指示を受け付ける指示受付ステップと、位置情報を取得する位置情報取得ステップと、取得指示を受け付けた場合に、位置情報を蓄積する位置情報蓄積ステップを実行させるためのプログラムである。
【００８５】
また、イヤフォンや情報処理装置を実現するソフトウェアは、以下のようなプログラムである。つまり、このプログラムは、コンピュータに、一定の範囲内から送信された映像情報または／および音情報を受信し出力するステップと、位置情報を送信する指示である送信指示を受け付ける指示受付ステップと、位置情報を取得する位置情報取得ステップと、送信指示により位置情報を送信する位置情報送信ステップを実行させるためのプログラムである。
【００８６】
（実施の形態４）
【００８７】
図１４は、本実施の形態における情報処理システムの概念図である。本情報処理システムは、携帯可能な第一情報処理装置１４１と第二情報処理装置１４２を有する。第二情報処理装置１４２は、通常、店舗の中や劇場の中やビルの中等に設置されている。また、携帯可能な第一情報処理装置１４１を保持しながら歩いているユーザからは、第二情報処理装置１４２が設置されている店舗や劇場やビルの中が見えない。本実施の形態において説明する情報処理システムは、第一情報処理装置１４１のユーザは、一度、第二情報処理装置１４２が設置されている店舗や劇場やビルの前にやってきて、興味を示したが、立ち去り、かつ、再度、当該店舗や劇場やビルの前に来ることを想定した情報処理システムである。
【００８８】
図１５は、本実施の形態における情報処理システムのブロック図である。第一情報処理装置１４１は、入力受付部１４１０１、第一情報処理装置識別子格納部１４１０２、送信部１４１０３、情報受信部１４１０４、情報出力部１４１０５を具備する。第二情報処理装置１４２は、関心情報受信部１４２０１、第一情報処理装置識別子蓄積部１４２０２、情報格納部１４２０３、情報入力受付部１４２０４、情報蓄積部１４２０５、発信情報送信部１４２０６を具備する。
【００８９】
入力受付部１４１０１は、入力を受け付ける。ここでの入力は、関心情報を送信する旨を指示する命令である。入力手段は、テンキーやキーボードやマウスやメニュー画面によるもの等、何でも良い。入力受付部１４１０１は、テンキーやキーボード等の入力手段のデバイスドライバーや、メニュー画面の制御ソフトウェア等で実現され得る。
【００９０】
第一情報処理装置識別子格納部１４１０２は、第一情報処理装置１４１を識別する情報である第一情報処理装置識別子を格納している。第一情報処理装置識別子は、例えば、第一情報処理装置の電話番号やＩＰアドレス等である。第一情報処理装置識別子格納部１４１０２は、不揮発性の記録媒体が好適であるが、揮発性の記録媒体でも実現可能である。
【００９１】
送信部１４１０３は、入力受付部１４１０１が入力を受け付けた場合に、第一情報処理装置識別子格納部１４１０２に格納されている第一情報処理装置識別子を有する関心情報を近距離無線通信で送信する。関心情報は、第一情報処理装置識別子だけで構成される場合もある。関心情報は、第一情報処理装置１４１のユーザが、例えば、近くの店舗等に関心を持った旨を示す情報を言うが、その意義は問わない。情報の意義は、人間が、そのように考えているだけであり、情報処理装置の処理には無関係だからである。送信部１４１０３は、ブルートゥース等の近距離無線信手段で実現される。
【００９２】
情報受信部１４１０４は、第二情報処理装置１４２から1以上の情報処理識別子と情報を有する発信情報を受信する。情報とは、例えば、店舗側からお客様に発信したい情報であり、現在の空席状況や、割引商品の内容や、タイムサービスの内容などを示す情報である。情報受信部１４１０４は、ブルートゥース等の近距離無線信手段で実現される。
【００９３】
情報出力部１４１０５は、情報受信部１４１０４が受信した発信情報が有する1以上の情報処理識別子の中に、第一情報処理装置識別子格納部１４１０２に格納されている第一情報処理装置識別子が存在する場合に、発信情報が有する情報を出力する。つまり、第一情報処理装置１４１は、一度、興味を持った店舗等からの情報を、再度、店舗等の前を通りかかったときに出力することができる。出力とは、通常、ディスプレイへの表示をいうが、音出力、プリンタへの印刷、他の装置への送信も含む概念である。情報出力部１４１０５は、ディスプレイなどの出力デバイスを含むと考えても、含まないと考えても良い。情報出力部１４１０５は、例えば、ディスプレイなどの出力デバイスとそのドライバーソフト等で実現され得る。
【００９４】
関心情報受信部１４２０１は、関心情報を受信する。関心情報受信部１４２０１は、ブルートゥース等の近距離無線信手段で実現される。
【００９５】
第一情報処理装置識別子蓄積部１４２０２は、関心情報受信部１４２０１が受信した関心情報が有する第一情報処理装置識別子を蓄積する。第一情報処理装置識別子を蓄積する記録媒体は、通常、第一情報処理装置識別子蓄積部１４２０２が保持している。ただし、外付けの記録媒体でも良い。第一情報処理装置識別子蓄積部１４２０２は、通常、ＭＰＵやメモリ等から実現され得る。第一情報処理装置識別子蓄積部１４２０２が情報を蓄積するための処理手順は、通常、ソフトウェアで実現され、当該ソフトウェアはＲＯＭ等の記録媒体に記録されている。但し、ハードウェア（専用回路）で実現しても良い。
【００９６】
情報格納部１４２０３は、情報を格納している。この情報は、例えば、店舗などがユーザに知らせたい情報である。情報格納部１４２０３は、不揮発性の記録媒体が好適であるが、揮発性の記録媒体でも実現可能である。
【００９７】
情報入力受付部１４２０４は、情報の入力を受け付ける。情報の入力手段は、テンキーやキーボードやマウス等、何でも良い。情報入力受付部１４２０４は、テンキーやキーボード等の入力手段のデバイスドライバー等で実現され得る。
【００９８】
情報蓄積部１４２０５は、情報入力受付部１４２０４が受け付けた情報を情報格納部１４２０３に蓄積する。情報蓄積部１４２０５は、通常、ＭＰＵやメモリ等から実現され得る。情報蓄積部１４２０５が情報を蓄積するための処理手順は、通常、ソフトウェアで実現され、当該ソフトウェアはＲＯＭ等の記録媒体に記録されている。但し、ハードウェア（専用回路）で実現しても良い。
【００９９】
発信情報送信部１４２０６は、情報格納部１４２０３の情報と第一情報処理装置識別子蓄積部１４２０２が蓄積した1以上の第一情報処理装置識別子を有する発信情報を構成し、送信する。発信情報送信部１４２０６は、ブルートゥース等の近距離無線信手段で実現される。
【０１００】
以下、本情報処理システムの動作について説明する。まず、第一情報処理装置１４１の動作について図１６のフローチャートを用いて説明する。
【０１０１】
（ステップＳ１６０１）入力受付部１４１０１は、入力を受け付けたか否かを判断する。入力を受け付ければステップＳ１６０２に行き、入力を受け付けなければステップＳ１６０５に飛ぶ。
【０１０２】
（ステップＳ１６０２）送信部１４１０３は、第一情報処理装置識別子格納部１４１０２から第一情報処理装置識別子を取得する。
【０１０３】
（ステップＳ１６０３）送信部１４１０３は、ステップＳ１６０２で取得した第一情報処理装置識別子を含む関心情報を構成する。
【０１０４】
（ステップＳ１６０４）送信部１４１０３は、ステップＳ１６０３で構成した関心情報を送信する。
【０１０５】
（ステップＳ１６０５）情報受信部１４１０４は、発信情報を受信したか否かを判断する。発信情報を受信すればステップＳ１６０６に行き、発信情報を受信しなければステップＳ１６０１に戻る。
【０１０６】
（ステップＳ１６０６）情報出力部１４１０５は、第一情報処理装置識別子格納部１４１０２から第一情報処理装置識別子を取得する。
【０１０７】
（ステップＳ１６０７）情報出力部１４１０５は、ステップＳ１６０５で受信した発信情報が、ステップＳ１６０６で取得した第一情報処理装置識別子を含むか否かを判断する。第一情報処理装置識別子を含めばステップＳ１６０８に行き、第一情報処理装置識別子を含まなければステップＳ１６０１に戻る。
【０１０８】
（ステップＳ１６０８）情報出力部１４１０５は、ステップＳ１６０５で受信した発信情報に含まれる情報を取得する。
【０１０９】
（ステップＳ１６０９）情報出力部１４１０５は、ステップＳ１６０８で取得した情報を出力する。ステップＳ１６０１に戻る。
【０１１０】
なお、図１６のフローチャートにおいて、電源オフや処理終了の割り込みにより処理は終了する。
【０１１１】
次に、第二情報処理装置１４２の動作について図１７のフローチャートを用いて説明する。
【０１１２】
（ステップＳ１７０１）関心情報受信部１４２０１は、関心情報を受信したか否かを判断する。関心情報を受信すればステップＳ１７０２に行き、関心情報を受信しなければステップＳ１７０４に飛ぶ。
【０１１３】
（ステップＳ１７０２）第一情報処理装置識別子蓄積部１４２０２は、ステップＳ１７０１で受信した関心情報が有する第一情報処理装置識別子を取得する。
【０１１４】
（ステップＳ１７０３）第一情報処理装置識別子蓄積部１４２０２は、ステップＳ１７０２で取得した第一情報処理装置識別子を蓄積する。ステップＳ１７０１に戻る。
【０１１５】
（ステップＳ１７０４）情報入力受付部１４２０４は、情報の入力を受け付けたか否かを判断する。情報の入力を受け付ければステップＳ１７０５に行き、情報の入力を受け付けなければステップＳ１７０６に飛ぶ。
【０１１６】
（ステップＳ１７０５）情報蓄積部１４２０５は、ステップＳ１７０４で受け付けた情報を情報格納部１４２０３に蓄積する。ステップＳ１７０１に戻る。
【０１１７】
（ステップＳ１７０６）発信情報送信部１４２０６は、発信情報の送信の指示を受け付けたか否かを判断する。発信情報の送信の指示を受け付ければステップＳ１７０７に行き、発信情報の送信の指示を受け付けなければステップＳ１７０１に戻る。
【０１１８】
（ステップＳ１７０７）発信情報送信部１４２０６は、情報格納部１４２０３の情報を取得する。
【０１１９】
（ステップＳ１７０８）発信情報送信部１４２０６は、第一情報処理装置識別子蓄積部１４２０２が蓄積した１以上の第一情報処理装置識別子を取得する。
【０１２０】
（ステップＳ１７０９）発信情報送信部１４２０６は、ステップＳ１７０７で取得した情報とステップＳ１７０８で取得した１以上の第一情報処理装置識別子に基づいて、発信情報を構成する。
【０１２１】
（ステップＳ１７１０）発信情報送信部１４２０６は、ステップＳ１７０９で構成した発信情報を送信する。ステップＳ１７０１に戻る。
【０１２２】
なお、図１７のフローチャートにおいても、電源オフや処理終了の割り込みにより処理は終了する。また、図１７のフローチャートにおいて、発信情報送信部１４２０６は、発信情報の送信の指示を受け付けない場合にも、常時、または定期的に発信情報を送信しても良い。また、発信情報送信部１４２０６は、情報格納部１４２０３に情報が格納されている場合のみ、常時、または定期的に発信情報を送信しても良い。さらに、図１７のフローチャートにおいて、情報は入力されたが、外部から受信しても良いし、記録媒体に格納している情報でも良い。
【０１２３】
以下、本実施の形態における情報処理システムの具体的な動作について説明する。情報処理システムの概念図は図１４である。第一情報処理装置１４１は、携帯電話機能を有し、その電話番号は、「０５０−１２３４−５６７８」である。この電話番号は、第一情報処理装置識別子である。また、第一情報処理装置１４１は、ブルートゥースの通信規約による近距離無線通信手段を具備する。第二情報処理装置１４２は、店舗に設置されているサーバ装置である。サーバ装置も近距離無線通信手段を具備している。
【０１２４】
第一情報処理装置１４１を保持しているユーザは、例えば、昼休みに昼食を食べる店を捜している。そして、混んでいそうな、ある店の前で、第一情報処理装置１４１に入力する。この入力は、当該店に関心がある旨を示す関心情報を送信する指示を示す入力である。
【０１２５】
次に、第一情報処理装置１４１は、第一情報処理装置識別子「０５０−１２３４−５６７８」を有する関心情報を構成する。次に、第一情報処理装置１４１は、ブルートゥースの通信規約による近距離無線通信手段により、第一情報処理装置識別子「０５０−１２３４−５６７８」を有する関心情報を送信する。
【０１２６】
次に、店舗に設置されている第二情報処理装置１４２は、第一情報処理装置識別子「０５０−１２３４−５６７８」を有する関心情報を受信する。そして、当該第一情報処理装置識別子「０５０−１２３４−５６７８」を蓄積する。
【０１２７】
以上の処理により、現在、第二情報処理装置１４２は、「０５０−１２３４−５６７８」、「０５０−２２２２−４４４４」、「０５０−３３３３−５５５５」の３つの第一情報処理装置識別子を保持している、とする。つまり、第二情報処理装置１４２は、３者（３つの一情報処理装置）から関心情報を受信した。
【０１２８】
次に、第二情報処理装置１４２は、「現在、空席あり！  空席数２」の情報の入力を受け付ける、とする。第二情報処理装置１４２は、「現在、空席あり！  空席数２」の情報を蓄積する。
【０１２９】
次に、第二情報処理装置１４２は、発信情報の送信指示を受け付ける、とする。次に、第二情報処理装置１４２は、「現在、空席あり！  空席数２」の情報と、蓄積した３つの第一情報処理装置識別子に基づいて、図１８の発信情報を構成する。発信情報は、「第一情報処理装置識別子の数」「第一情報処理装置識別子」「情報」を有する。次に、第二情報処理装置１４２は、図１８の発信情報をブルートゥースの通信規約による近距離無線通信手段により、送信する。
【０１３０】
次に、第一情報処理装置識別子「０５０−１２３４−５６７８」を有する第一情報処理装置１４１のユーザは、昼食を食べる店舗を捜して、歩き回っている、とする。そして、先ほど、関心情報を送信した店の前を通りかかったときに、図１８の発信情報を受信する。そして、第一情報処理装置１４１は、当該発信情報が第一情報処理装置識別子「０５０−１２３４−５６７８」を含むか否か判断する。発信情報が第一情報処理装置識別子「０５０−１２３４−５６７８」を含むので、第一情報処理装置１４１は、発信情報から情報「現在、空席あり！  空席数２」を取り出す。そして、第一情報処理装置１４１は、情報「現在、空席あり！  空席数２」を図１９に示すように出力する。
【０１３１】
以上、本実施の形態によれば、例えば、ユーザが関心を持った店舗等の状況や、店舗等に関する情報を、再度、店舗の前に来たときに、得ることができる。実際に、現場に足を運んだときの印象により、第一情報処理装置識別子を含む関心情報を送信して、登録しておくので、有効である。つまり、ユーザにとって、関心のない店舗等からの情報を受信するわずらわしさがなく、好都合である。
【０１３２】
なお、本実施の形態によれば、第二情報処理装置の情報は入力されたが、外部から受信しても良いし、記録媒体に格納しているものを利用しても良い。かかる場合の情報処理システムは、以下のような情報処理システムである。携帯可能な第一情報処理装置と第二情報処理装置を有する情報処理システムであって、第一情報処理装置は、入力を受け付ける入力受付部と、第一情報処理装置を識別する情報である第一情報処理装置識別子を格納している第一情報処理装置識別子格納部と、入力受付部が入力を受け付けた場合に、第一情報処理装置識別子を有する関心情報を近距離無線通信で送信する送信部と、第二情報処理装置から1以上の情報処理識別子と情報を有する発信情報を受信する情報受信部と、発信情報が有する1以上の情報処理識別子の中に第一情報処理装置識別子が存在する場合に、発信情報が有する情報を出力する情報出力部を具備し、第二情報処理装置は、関心情報を受信する関心情報受信部と、関心情報が有する第一情報処理装置識別子を蓄積する第一情報処理装置識別子蓄積部と、情報を格納している情報格納部と、情報と第一情報処理装置識別子蓄積部が蓄積した1以上の第一情報処理装置識別子を有する発信情報を構成し、送信する発信情報送信部を具備する情報処理システム、である。
【０１３３】
また、本実施の形態によれば、第一情報処理装置は、ユーザから見えない店舗の中に対する関心により、関心情報を送信する必要は、必ずしもない。じっくり店舗内を見て、気に入った店である場合に、関心情報を送信し、登録しておいても良い。かかる場合、後日、当該店舗の前を通りかかっただけで、店舗に関連する有益な情報が自動的に得られる可能性があり、有効である。
また、本実施の形態によれば、第一情報処理装置は、上述したイヤフォンのようなものでも良いし、いわゆる携帯電話のようなものでも良いし、ＰＤＡのようなものでも良い。
【０１３４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、本実施の形態における第一情報処理装置を実現するソフトウェアは、以下のようなプログラムである。つまり、このプログラムは、コンピュータに、入力を受け付ける入力受付ステップと、入力受付ステップで入力を受け付けた場合に、格納している第一情報処理装置識別子を有する関心情報を近距離無線通信で送信する送信ステップと、第二情報処理装置から1以上の情報処理識別子と情報を有する発信情報を受信する情報受信ステップと、発信情報が有する1以上の情報処理識別子の中に第一情報処理装置識別子が存在する場合に、発信情報が有する情報を出力する情報出力ステップを実行させるためのプログラムである。
【発明の効果】
以上のように、本発明によれば、ドアを隔てたむこう側の様子等を何となく取得できるイヤフォンや情報処理装置等を得ることができる。
【図面の簡単な説明】
【図１】実施の形態１における情報処理システムの概念図
【図２】実施の形態１における情報処理システムのブロック図
【図３】実施の形態２における情報処理システムのブロック図
【図４】実施の形態２における情報処理装置の動作について説明するフローチャート
【図５】実施の形態２における情報処理システムの概念図
【図６】実施の形態２におけるメニュー画面の例を示す図
【図７】実施の形態２における位置情報管理表を示す図
【図８】実施の形態２における第二情報処理装置の画面の例を示す図
【図９】実施の形態２における出力の例を示す図
【図１０】実施の形態３における情報処理システムの概念図
【図１１】実施の形態３における情報処理システムのブロック図
【図１２】実施の形態３におけるイヤフォンの動作について説明するフローチャート
【図１３】実施の形態３におけるイヤフォンの外観を示す図
【図１４】実施の形態４における情報処理システムの概念図
【図１５】実施の形態４における情報処理システムのブロック図
【図１６】実施の形態４における第一情報処理装置の動作について説明するフローチャート
【図１７】実施の形態４における第二情報処理装置の動作について説明するフローチャート
【図１８】実施の形態４における発信情報の構成を示す図
【図１９】実施の形態４における第一情報処理装置における情報の表示例を示す図
【符号の説明】
１１    情報送出装置
１２、１０２  イヤフォン
３１  情報処理装置
３２  サーバ装置
３３、１４２  第二情報処理装置
１４１  第一情報処理装置
１１０１  マイク
１１０２  音情報変換部
１１０３  音情報送信部
１２０１  音情報受信部
１２０２  音情報出力部
３１０１、１０２０１  指示受付部
３１０２、１０２０２  位置情報取得部
３１０３、１０２０４  位置情報送信部
３２０１  サーバ側位置情報受信部
３２０２  サーバ側位置情報蓄積部
３２０３  アクセス要求受信部
３２０４  位置情報送出部
３３０１  アクセス要求入力受付部
３３０２  アクセス要求送信部
３３０３  位置情報受信部
３３０４  位置情報出力部
１０２０３  位置情報蓄積部
１４１０１  入力受付部
１４１０２  第一情報処理装置識別子格納部
１４１０３  送信部
１４１０４  情報受信部
１４１０５  情報出力部
１４２０１  関心情報受信部
１４２０２  第一情報処理装置識別子蓄積部
１４２０３  情報格納部
１４２０４  情報入力受付部
１４２０５  情報蓄積部
１４２０６  発信情報送信部
【図１】
2004201216.tif 000003
【図２】
2004201216.tif 000004
【図３】
2004201216.tif 000005
【図４】
2004201216.tif 000006
【図５】
2004201216.tif 000007
【図６】
2004201216.tif 000008
【図７】
2004201216.tif 000009
【図８】
2004201216.tif 000010
【図９】
2004201216.tif 000011
【図１０】
2004201216.tif 000012
【図１１】
2004201216.tif 000013
【図１２】
2004201216.tif 000014
【図１３】
2004201216.tif 000015
【図１４】
2004201216.tif 000016
【図１５】
2004201216.tif 000017
【図１６】
2004201216.tif 000018
【図１７】
2004201216.tif 000019
【図１８】
2004201216.tif 000020
【図１９】
2004201216.tif 000021